(57)【特許請求の範囲】
【請求項１】
被検体内に延びる複数本の走査線それぞれに沿う超音波ビームの送信と受信とを繰り返すことにより該被検体内を走査し、該走査により得られた受信信号に基づいて、該複数本の走査線により規定される走査領域内の画像を生成する超音波診断装置において、
被検体にあてがわれて該被検体内への超音波の送信と該被検体内で反射した超音波の受信とを行なう超音波振動子を有する本体部と、該被検体内に刺し込まれる穿刺針を案内するガイド部材とを備えた超音波プローブと、
複数本の走査線それぞれに沿って進む超音波ビームが順次に形成されるように前記超音波振動子を駆動するとともに、該被検体内で反射して該超音波振動子に戻ってきた超音波を該超音波振動子で受信して受信信号を得る送受信部と、
前記受信信号に基づく画像を生成する画像生成部とを備え、
前記送受信部が、前記走査領域内を所定の走査線密度で走査する第１の送受信モードと、前記走査領域のうちの、前記穿刺針の通過経路の一部もしくは全部を含む所定の第１の領域内について、前記走査領域のうちの、該第１の領域を除く第２の領域内よりも高い走査線密度で走査する第２の送受信モードとを有するものであることを特徴とする超音波診断装置。
【請求項２】
被検体内に延びる複数本の走査線それぞれに沿う超音波ビームの送信と受信とを繰り返すことにより該被検体内を走査し、該走査により得られた受信信号に基づいて、該複数本の走査線により規定される走査領域内の画像を生成する超音波診断装置において、
被検体にあてがわれて該被検体内への超音波の送信と該被検体内で反射した超音波の受信とを行なう超音波振動子を有する本体部と、該被検体内に刺し込まれる穿刺針を案内するガイド部材とを備えた超音波プローブと、
複数本の走査線それぞれに沿って進む超音波ビームが順次に形成されるように前記超音波振動子を駆動するとともに、該被検体内で反射して該超音波振動子に戻ってきた超音波を該超音波振動子で受信して受信信号を得る送受信部と、
前記受信信号に基づく画像を生成する画像生成部とを備え、
前記送受信部が、前記走査領域内を所定の走査線密度で走査する第１の送受信モードと、前記走査領域のうちの、前記穿刺針の通過経路の一部もしくは全部を含む所定の第１の領域内について、前記第１の送受信モードにおける走査領域よりも狭い走査領域である第１の領域内について、前記第１の送受信モードにおける走査線密度よりも高い走査線密度で走査する第２の送受信モードとを有するものであることを特徴とする超音波診断装置。
【請求項３】
前記第１の送受信モードと前記第２の送受信モードとを切り替える送受信モード切替操作子を備えたことを特徴とする請求項１又は２記載の超音波診断装置。
【請求項４】
前記ガイド部材が前記本体部に着脱自在なものであって、前記超音波プローブが、前記ガイド部材の、前記本体部への着脱を検出するセンサを備え、
前記送受信部が、前記センサにより、前記ガイド部材の、前記本体部への装着が検出されるか否かに応じて、それぞれ、前記第２の送受信モードもしくは前記第１の送受信モードに切り替わるものであることを特徴とする請求項１又は２記載の超音波診断装置。
【請求項５】
前記センサが、前記ガイド部材の、前記本体部への着脱を検出するとともに、前記本体部に装着されたガイド部材の種別を判別するものであって、
前記送受信部が、前記ガイド部材の種別に応じて前記第１の領域を設定するものであることを特徴とする請求項４記載の超音波診断装置。
【請求項６】
前記穿刺針先端を振動させる振動機構を備え、
前記送受信部が、前記超音波振動子に伝播してきた前記穿刺針先端の振動を受信して該穿刺針先端位置を検出し、検出された穿刺針先端位置に基づいて前記第１の領域を設定するものであることを特徴とする請求項１又は２記載の超音波診断装置。
【請求項７】
前記超音波プローブが、前記穿刺針の、前記ガイド部材を通過する先端側の部分の長さを測定するセンサを備え、
前記送受信部が、該センサにより測定された長さに応じて前記第１の領域を設定するものであることを特徴とする請求項１又は２記載の超音波診断装置。
【請求項８】
前記画像生成部が、前記受信信号に基づく画像に、前記穿刺針の通過経路をあらわす図形を重畳する機能を有し、
該超音波診断装置が前記画像に前記図形を重畳させるか否かを切り替える図形重畳切替操作子を備え、
前記送受信部が、前記図形重畳切替操作子が前記画像に前記図形を重畳させる側に切り替えられるか否かに応じて、それぞれ、前記第２の送受信モードもしくは前記第１の送受信モードに切り替わるものであることを特徴とする請求項１又は２記載の超音波診断装置。
【請求項９】
前記画像生成部が、前記走査領域全域をあらわす第１の画像を生成する第１の画像生成モードと、該走査領域のうちの前記穿刺針の通過経路の少なくとも一部を含む一部領域からなる拡大領域、もしくは該操作領域全域からなる拡大領域をあらわす、被検体内の単位面積あたりの寸法が前記第１の画像よりも拡大された第２の画像を生成する第２の画像生成モードとを有するものであることを特徴とする請求項１又は２記載の画像形成装置。
【請求項１０】
前記第１の画像生成モードと前記第２の画像生成モードとを切り替える画像生成モード切替操作子を備えたことを特徴とする請求項９記載の超音波診断装置。
【請求項１１】
前記ガイド部材が前記本体部に着脱自在なものであって、前記超音波プローブが、前記ガイド部材の、前記本体部への着脱を検出するセンサを備え、
前記画像生成部が、前記センサにより、前記ガイド部材の、前記本体部への装着が検出されるか否かに応じて、それぞれ、前記第２の画像生成モードもしくは前記第１の画像生成モードに切り替わるものであることを特徴とする請求項９記載の超音波診断装置。
【請求項１２】
前記センサが、前記ガイド部材の、前記本体部への着脱を検出するとともに、前記本体部に装着されたガイド部材の種別を判別するものであって、
前記画像生成部が、前記ガイド部材の種別に応じて前記拡大領域を設定するものであることを特徴とする請求項９記載の超音波診断装置。
【請求項１３】
前記穿刺針先端を振動させる振動機構を備え、
前記送受信部が、前記超音波振動子に伝播してきた前記穿刺針先端の振動を受信して該穿刺針先端位置を検出するものであって、
前記画像生成部が、前記送受信部により検出された穿刺針先端位置に基づいて前記拡大領域を定めるものであることを特徴とする請求項９記載の超音波診断装置。
【請求項１４】
前記超音波プローブが、前記穿刺針の、前記ガイド部材を通過する先端側の部分の長さを測定するセンサを備え、
前記画像生成部が、該センサにより測定された長さに応じて前記拡大領域を設定するものであることを特徴とする請求項９記載の超音波診断装置。
【請求項１５】
前記画像生成部が、前記受信信号に基づく画像に、前記穿刺針の通過経路をあらわす図形を重畳する機能を有し、
該超音波診断装置が前記画像に前記図形を重畳させるか否かを切り替える図形重畳切替操作子を備え、
前記画像生成部が、前記図形重畳切替操作子が前記画像に前記図形を重畳させる側に切り替えられるか否かに応じて、それぞれ、前記第２の画像生成モードもしくは前記第１の画像生成モードに切り替わるものであることを特徴とする請求項９記載の超音波診断装置。
【請求項１６】
該超音波診断装置が、被検体内に延びる、立体的に配列された複数本の走査線それぞれに沿う超音波ビームの送信と受信とを繰り返すことにより該被検体内を走査し、該走査により得られた受信信号に基づいて、該複数本の走査線により規定される立体的な走査領域内の画像を生成するものであることを特徴とする請求項１から１５のうちいずれか１項記載の超音波診断装置。
【発明の詳細な説明】
【０００１】
【発明の属する技術分野】
本発明は、被検体内に超音波を送信し、その被検体内で反射して戻ってきた超音波を受信することにより受信信号を得、その受信信号に基づく画像を生成する超音波診断装置に関し、特に、被検体内に刺し込まれる穿刺針を案内する機能を備えた超音波診断装置に関する。
【０００２】
【従来の技術】
被検体、特に人体内に超音波を送信し被検体内の各組織で反射して戻ってきた超音波を受信して、超音波による被検体内の画像を生成する超音波診断装置が、従来から、被検体内の疾患の診断に役立てられている。
この超音波診断装置を用いて得られた被検体内の患部の画像を観察しながらその患部組織の一部を診断用にピッキングしたり、あるいはその患部に薬液を注入する目的で、その被検体内の患部に穿刺針を刺し込むことがある。
【０００３】
超音波診断装置は、通常、超音波診断装置本体と、その本体にケーブルで接続される超音波プローブとから構成されており、被検体内に穿刺針を刺し込む際には、被検体内に刺し込まれる穿刺針を案内するガイド部材を超音波プローブの本体に装着し、そのガイド部材に設けられた案内孔を通して被検体内に刺し込み、その患部の画像を観ながら穿刺針を所望の位置に到達させる。
【０００４】
その穿刺針は注射針のように中空の管であって、例えばその患部の組織をその穿刺針の管を通して摘出する。摘出した組織は病理検査等に供され、例えば悪性、良性の判定に用いられる。尚、ここでは、ガイド部材を超音波プローブ本体に装着する旨説明したが、超音波プローブ本体とガイド部材とがもともと一体的に構成されたものもある。ただし、以下の説明においても、ガイド部材は超音波プローブ本体に着脱可能なものとして説明する。
【０００５】
図２１は、被検体内に穿刺針が刺し込まれている状態における超音波プローブの模式図、図２２は、その状態における超音波による画像例を示す図である。
超音波プローブ２０は、本体部２１と、その本体部２１に着脱自在なガイド部材２２とからなる。本体部２１の先端には、複数（例えば１２８個）の超音波振動子２１１が、この図に示す例では円弧状に配列されており、これらの超音波振動子２１１はケーブル２１２を経由して超音波診断装置本体（図示せず）と接続されている。
【０００６】
超音波画像の取得に当たっては、超音波プローブ２０の先端が被検体１にあてがわれ、その超音波プローブ先端から被検体１内に延びる複数本の走査線２に沿って順次に超音波ビームの送受信が行なわれ、この一連の超音波ビームの送受信による被検体内の走査により、これら複数本の走査線２によって規定される走査領域３内の超音波画像をあらわす受信信号が得られる。この受信信号は種々の処理を得た後、図示しない観察用モニタテレビに送られ、その観察用モニタテレビの表示画面７０７ａ（図２２参照）上にその走査領域３内の画像が表示される。
【０００７】
被検体内に穿刺針３０を刺し込むに当たっては、超音波プローブ本体部２１にガイド部材２２を装着する。図２２に示すように、画像上には、その走査領域内の画像に重畳されて、穿刺針の通過通路をあらわす線図３０ａが表示される。そこで超音波プローブ２０の、被検体１にあてがう位置や方向を調整して、穿刺針３０を刺し込もうとしている患部１１と穿刺針の通過通路をあらわす線図３０とを交差させる。そのように調整しておいて、穿刺針３０を、ガイド部材２２の案内孔２２ａに案内させながら被検体１に刺し込む。こうすることにょり、ある程度の確実性を持って穿刺針３０を被検体内部の所望の位置に刺し込むことができる。尚、ここでは、表示画面７０７ａ上に穿刺針の通過経路をあらわす線図３０ａが表示される旨説明したが、そのような線図の表示機能を持たない超音波診断装置もある。
【０００８】
【発明が解決しようとする課題】
穿刺針を被検体内部に刺し込んで被検体内の組織を摘出したり被検体内の組織に薬液を注入する穿刺術を施すにあたり、画像の分解能が低いと被検体内に刺し込まれた穿刺針の位置を正確に把握することができず、穿刺針の先端を、患部１１の中の所望の小さなポイントに合わせるのが難しく、これが正確な穿刺術を難しくしている要因の１つとなっている。また、画像上には穿刺針の通過経路をあらわす線図が表示されていても、被検体内部の組織どうしの境界で穿刺針が多少曲がって進むことがあり、かならずしもその線図どおりには進まない。このため、実際に刺し込まれた穿刺針の位置を正確に把握する必要があり、正確に把握することができないと穿刺針を刺し込もうとした部位以外の血管や臓器等に傷を付けてしまう恐れもある。
【０００９】
これらの問題を解決するために、穿刺針の案内方向に沿った所定の画像領域内について他の画像領域とは異なる画像処理を施すことにより画像上で穿刺針を見易くするという提案がなされている（特開昭６３−２９０５５０号公報参照）。
この提案では、穿刺針を見やすく表示したいという要求はわかるが、どのような画像処理を施すと穿刺針が見やすくなるのかという点について解決策は提案されていない。また、仮に画像処理によって穿刺針を見やすく表示することができたとしても、穿刺針を他の血管や臓器に傷をつけることなく所望のポイントに到達させるためには、穿刺針のみが見やすく表示されても不都合であって、被検体内部の血管や臓器等、穿刺針以外の画像も見やすく表示される必要がある。
【００１０】
従来より各種の画像処理が試みられており、従来より、被検体内部の血管や臓器等と穿刺針との双方がこれまでの画像処理技術の範囲内で最も見やすくなるように画像処理が施されており、それでもなお、穿刺針の位置がわかりにくいという問題点が指摘されているのであって、上記のような、穿刺針の通過領域と他の領域とで画像処理を異ならせるというだけの提案では、穿刺針の位置を正確に把握し、その穿刺針を、他の血管や臓器等に傷をつけることなく所望のポイントに到達させ得るような画像は実現し得ない。
【００１１】
通常の観察用の画像は、単位時間あたりに取得することのできる画像の枚数をあらわす指標であるフレームレートとのかね合いで、分解能（図２１に示す走査線２の密度等）が決められており、穿刺術を施すには、単なる観察用の画像よりも高い分解能を有する画像が必要であって、観察用の画像では本質的に分解能が不足している。しかしながら画像の分解能を上げようとすると、上記のようにフレームレートとのバランスで分解能が定められているため、今度はフレームレートが低下し、穿刺針を被検体内に刺し込んでいく速度に画像の変化が追随せず、今度はフレームレートの点から正確な穿刺術を施すのが難しくなってしまうという問題がある。
【００１２】
また、穿刺針の先端部を加振器により振動させ、振動による信号の変化をピックアップすることにより、その穿刺針の先端位置を正確に検出する技術が提案されている（米国特許第５，０９５，９１０号公報参照）。この技術では穿刺針先端の振動によって生じる、その穿刺針先端で反射した超音波の周波数のドプラ遷移を検出することにより、その穿刺針先端位置を検出している。
【００１３】
本発明は、上記事情に鑑み、正確な穿刺術を施すために好適な画像を生成する機能を備えた超音波診断装置を提供することを目的とする。
【００１４】
【課題を解決するための手段】
上記目的を達成する本発明の超音波診断装置のうちの第１の超音波診断装置は、被検体内に延びる複数本の走査線それぞれに沿う超音波ビームの送信と受信とを繰り返すことにより被検体内を走査し、その走査により得られた受信信号に基づいて、それら複数本の走査線により規定される走査領域内の画像を生成する超音波診断装置において、
被検体にあてがわれて被検体内への超音波の送信と被検体内で反射した超音波の受信とを行なう超音波振動子を有する本体部と、被検体内に刺し込まれる穿刺針を案内するガイド部材とを備えた超音波プローブと、
複数本の走査線それぞれに沿って進む超音波ビームが順次に形成されるように超音波振動子を駆動するとともに、被検体内で反射して超音波振動子に戻ってきた超音波を超音波振動子で受信して受信信号を得る送受信部と、
上記受信信号に基づく画像を生成する画像生成部とを備え、
上記送受信部が、走査領域内を所定の走査線密度で走査する第１の送受信モードと、走査領域のうちの、穿刺針の通過経路の一部もしくは全部を含む所定の第１の領域内について、走査領域のうちの、その第１の領域を除く第２の領域内よりも高い走査線密度で走査する第２の送受信モードとを有するものであることをを特徴とする。
【００１５】
本発明の第１の超音波診断装置は、走査領域内を所定の走査線密度で走査する第１の送受信モード、すなわち従来と同様な、走査領域全域を画像観察用にバランスのとれた分解能とフレームレートが得られるように走査する送受信モードに加え、穿刺針の通過経路の一部もしくは全部を含む第１の領域について、その第１の領域を除く第２の領域よりも高い走査線密度で走査する第２の送受信モード、すなわち、穿刺針の通過経路領域（第１の領域）以外の領域（第２の領域）の分解能を下げてでも通過経路領域（第１の領域）の分解能を上げる送受信モードを有しているため、穿刺術を施す際は、その第２の送受信モードにより、フレームレートを大きく低下させることなく穿刺針の通過経路領域の分解能が向上し、実際に刺し込まれた穿刺針の位置や被検体内組織の配置位置を十分な精度で把握することができ、しかも穿刺針の刺し込み速度に十分に追随する画像を得ることができる。
【００１６】
尚、上記「走査線密度」は、一回の超音波ビームの送受信を一本の走査線として数えたときの走査線密度をいう。すなわち、公知のように、同一の経路に沿って進む超音波ビームであっても、超音波ビームの焦点位置が異なる複数の超音波ビームを順次送受信することにより画像の分解能を高めることができ、したがって本発明では、同一の経路に沿って進む超音波ビームであってもその超音波ビームを一枚の画像（フレーム）内で複数回送受信する場合、その同一の経路に沿う走査線の本数は、一本ではなく、その送受信の回数と同じ本数として数えられる。
【００１７】
また、本発明の第２の超音波診断装置は、上記第１の超音波診断装置における第２の送受信モードが、上記第１の領域内について上記第２の領域内よりも高い走査線密度で走査するものであるのに代わり、本発明の第２の超音波診断装置の第２送受信モードは、被検体内の、穿刺針の通過経路の一部もしくは全部を含む、第１の送受信モードにおける走査領域よりも狭い走査領域である第１の領域内について、第１の送受信モードにおける走査線密度よりも高い走査線密度で走査するモードであることを特徴とする。
【００１８】
本発明の第２の超音波診断装置は、第２の送受信モードでは、本発明の第１の超音波診断装置にいう第２の領域については走査そのものを止めるというものであり、本発明の第１の超音波診断装置と同様、穿刺術を施しやすい分解能とフレームレートを持った画像を提供することができる。
ここで、上記本発明の第１ないし第２の超音波診断装置において、第１の送受信モードと第２の送受信モードを切替えるについては、第１の送受信モードと第２の送受信モードとを切り替える送受信モード切替操作子を備えてもよく、あるいは、上記ガイド部材が上記本体部に着脱自在なものであって、上記超音波プローブが、ガイド部材の、本体部への着脱を検出するセンサを備え、上記送受信部が、そのセンサにより、ガイド部材の、本体部への装着が検出されるか否かに応じて、それぞれ、第２の送受信モードもしくは第１の送受信モードに切り替わるものであってもよい。さらに、センサを備える形態の場合、そのセンサが、ガイド部材の、本体部への着脱を検出するとともに、本体部に装着されたガイド部材の種別を判別するものであって、送受信部が、ガイド部材の種別に応じて上記第１の領域を設定するものであることが好ましい。
【００１９】
ガイド部材に応じて被検体内への穿刺針の刺し込む方向が定まるため、被検体内の異なる深さ位置に穿刺針を刺し込むことができるようにするには、その穿刺針を案内する方向が異なる、本体部に着脱自在な複数種類のガイド部材が必要となる。その場合、ガイド部材の種類に応じて分解能を向上させるべき第１の領域を異ならせる必要を生じることが考えられる。そこで、上記センサに、装着されたガイド部材の種別を判別する機能を持たせ、装着されたガイド部材に応じて第１の領域を設定するように構成することにより、例えばその第１の領域を、操作子を操作して装着したガイド部材に合わせて調整するように構成した場合と比べ、操作性が大きく向上する。
【００２０】
また、上記第１ないし第２の超音波診断装置において、上記第１の領域を定める別の手段として、穿刺針先端を振動させる振動機構を備え、送受信部が、超音波振動子に伝播してきた穿刺針先端の振動を受信して穿刺針先端位置を検出し、検出された穿刺針先端位置に基づいて上記第１の領域を設定するものであってもよい。
【００２１】
あるいは、上記第１の領域を定めるさらに別の手段として、上記超音波プローブが、穿刺針の、ガイド部材を通過する先端側の部分の長さを測定するセンサを備え、送受信部が、そのセンサにより測定された長さに応じて上記第１の領域を設定するものであってもよい。
また、上記第１ないし第２の超音波診断装置において、上記画像生成部が、受信信号に基づく画像に、穿刺針の通過経路をあらわす図形を重畳する機能を有し、その超音波診断装置が上記画像に上記図形を重畳させるか否かを切り替える図形重畳切替操作子を備え、上記送受信部が、図形重畳切替操作子が上記画像に上記図形を重畳させる側に切り替えられるか否かに応じて、それぞれ、第２の送受信モードもしくは第１の送受信モードに切り替わるものであってもよい。
【００２２】
このように、穿刺術に関連した操作を行なう操作子を備える場合、１つの操作子で穿刺術に関連した複数の操作を同時に切り替えるように構成することにより、操作性が向上する。
さらに、上記本発明の第１ないし第２の超音波診断装置において、上記画像生成部が、走査領域全域をあらわす第１の画像を生成する第１の画像生成モードと、その走査領域のうちの穿刺針の通過経路の少なくとも一部を含む一部領域からなる拡大領域、もしくはその走査領域全域からなる拡大領域をあらわす、被検体内の単位面積あたりの寸法が上記第１の画像よりも拡大された第２の画像を生成する第２の画像生成モードとを有するものであることが好ましい。
【００２３】
走査領域全域についての通常の寸法の画像（第１の画像）を生成する第１の画像生成モードに加え、走査領域のうちの拡大領域について拡大画像（第２の画像）を生成する第２の画像生成モードを置くことにより、分解能が向上するだけでなく、拡大された、穿刺術にとって一層好ましい見やすい画像が提供される。
また、上記第２の画像（拡大画像）を生成する第２の画像生成モードを有する態様において、第１の画像生成モードと第２の画像生成モードとを切り替えるについては、第１の送受信モードと第２の送受信モードの切替えの場合と同様、第１の画像生成モードと第２の画像生成モードとを切り替える画像生成モード切替操作子を備えてもよく、あるいは、ガイド部材が本体部に着脱自在なものであって、上記超音波プローブが、ガイド部材の、本体部への着脱を検出するセンサを備え、画像生成部が、そのセンサにより、ガイド部材の、本体部への装着が検出されるか否かに応じて、それぞれ、第２の画像生成モードもしくは第１の画像生成モードに切り替わるものであってもよい。さらに、センサを備える形態の場合、そのセンサが、ガイド部材の、本体部への着脱を検出するとともに、本体部に装着されたガイド部材の種別を判別するものであって、画像生成部が、ガイド部材の種別に応じて上記拡大領域を設定するものであることが好ましい。
【００２４】
前述したように、ガイド部材の種類に応じて穿刺針の案内方向が異なり、その場合、ガイド部材の種類に応じて拡大領域を異ならせることが好ましい場合が生じる。そこで、上記センサに、装着されたガイド部材の種別を判別する機能を持たせ、装着されたガイド部材に応じて拡大領域を設定するように構成することにより、拡大領域をいちいちマニュアルで設定する構成の場合と比べ、操作性が大幅に向上する。
【００２５】
また、上記第１ないし第２の超音波診断装置における、上記第１の画像生成モードと第２の画像生成モードとを有する態様において、上記拡大領域を定める別の手段として、穿刺針先端を振動させる振動機構を備え、送受信部が、超音波振動子に伝播してきた穿刺針先端の振動を受信して穿刺針先端位置を検出するものであって、画像生成部が、上記送受信部により検出された穿刺針先端位置に基づいて上記拡大領域を定めるものであってもよい。
【００２６】
あるいは、上記拡大領域を定めるさらに別の手段として、上記超音波プローブが、穿刺針の、ガイド部材を通過する先端側の部分の長さを測定するセンサを備え、画像生成部が、そのセンサにより測定された長さに応じて拡大領域を設定するものであってもよい。
また、第１ないし第２の超音波診断装置であって、上記第１の画像生成モードと第２の画像生成モードとを有する態様の場合に、画像生成部が、受信信号に基づく画像に、穿刺針の通過経路をあらわす図形を重畳する機能を有し、その超音波診断装置が上記画像に上記図形を重畳させるか否かを切り替える図形重畳切替操作子を備え、画像生成部が、図形重畳切替操作子が上記画像に上記図形を重畳させる側に切り替えられるか否かに応じて、それぞれ、第２の画像生成モードもしくは第１の画像生成モードに切り替わるものであってもよい。
【００２７】
前述した、第１の送受信モードと第２の送受信モードとの切替えの場合と同様、図形重畳切替操作子で、第１の画像生成モードと第２の画像生成モードとの切替えを兼用させることにより、操作性が高められる。
また、本発明の超音波診断装置のうちの第３の超音波診断装置は、被検体内に延びる複数本の走査線それぞれに沿う超音波ビームの送信と受信とを繰り返すことにより被検体内を走査し、その走査により得られた受信信号に基づいて、それら複数本の走査線により規定される走査領域内の画像を生成する超音波診断装置において、
被検体にあてがわれて被検体内への超音波の送信と被検体内で反射した超音波の受信とを行なう超音波振動子を有する本体部と、被検体内に刺し込まれる穿刺針を案内するガイド部材とを備えた超音波プローブと、
複数本の走査線それぞれに沿って進む超音波ビームが順次に形成されるように超音波振動子を駆動するとともに、被検体内で反射して超音波振動子に戻ってきた超音波を超音波振動子で受信して受信信号を得る送受信部と、
上記受信信号に基づく画像を生成する画像生成部と、
上記穿刺針先端を振動させる振動機構とを備え、
上記送受信部が、超音波振動子に伝播してきた穿刺針先端の振動を受信して穿刺針先端位置を検出し、検出された穿刺針先端位置に応じた周波数の超音波ビームが形成されるように超音波振動子を駆動するものであることを特徴とする。
【００２８】
周波数が高い超音波ビームを送受信すると分解能が向上するが、周波数の高い超音波ビームは減衰がはげしく、被検体内の深い部分の画像を得ることはできない。そこで穿刺針先端位置を検出し検出された穿刺針先端位置に応じてその穿刺針先端が被検体内の浅い位置にあるときは、周波数の高い超音波ビームを送受信して画像の分解能を向上させ、穿刺針先端が被検体内の深い位置に刺し込まれるにつれて低い周波数の超音波ビームを送受信することにより、全体としてできる限り高い分解能の画像を生成することができる。
【００２９】
また、本発明の超音波診断装置のうちの第４の超音波診断装置は、被検体内に延びる複数本の走査線それぞれに沿う超音波ビームの送信と受信とを繰り返すことにより被検体内を走査し、その走査により得られた受信信号に基づいて、それら複数本の走査線により規定される走査領域内の画像を生成する超音波診断装置において、
被検体にあてがわれて被検体内への超音波の送信と被検体内で反射した超音波の受信とを行なう超音波振動子を有する本体部と、被検体内に刺し込まれる穿刺針を案内するガイド部材とを備えた超音波プローブと、
複数本の走査線それぞれに沿って進む超音波ビームが順次に形成されるように超音波振動子を駆動するとともに、被検体内で反射して超音波振動子に戻ってきた超音波を超音波振動子で受信して受信信号を得る送受信部と、
上記受信信号に基づく画像を生成する画像生成部と、
上記穿刺針先端を振動させる振動機構とを備え、
上記送受信部が、超音波振動子に伝播してきた穿刺針先端の振動を受信して穿刺針先端位置を検出し、検出された穿刺針先端位置に応じた周期で超音波ビームが順次形成されるように超音波振動子を駆動するものであることを特徴とする。
【００３０】
超音波ビーム形成の周期を短かくすることによりフレームレートを向上させることができ、フレームレートを一定に保つならば走査線本数を増やして分解能を向上させることができるが、被検体内の深い位置まで超音波ビームを送信し、その深い位置で反射した超音波を受信するには、超音波の伝播に時間を要するため、周期を短くするには限界がある。そこで、穿刺針先端が被検体内の浅い位置にあるときは超音波ビーム送受信の周期を短くしてフレームレートないしは分解能を向上させ、穿刺針先端が被検体内の深い位置に刺し込まれるにつれて超音波ビーム送受信の周期を長くすることにより、全体としてフレームレートと分解能が高いレベルで調整された画像を得ることができる。
【００３１】
また、本発明の超音波診断装置のうちの第５の超音波診断装置は、被検体内に延びる複数本の走査線それぞれに沿う超音波ビームの送信と受信とを繰り返すことにより被検体内を走査し、その走査により得られた受信信号に基づいて、それら複数本の走査線により規定される走査領域内の画像を生成する超音波診断装置において、
被検体にあてがわれて被検体内への超音波の送信と被検体内で反射した超音波の受信とを行なう超音波振動子を有する本体部と、被検体内に刺し込まれる穿刺針を案内するガイド部材とを備えた超音波プローブと、
複数本の走査線それぞれに沿って進む超音波ビームが順次に形成されるように超音波振動子を駆動するとともに、被検体内で反射して超音波振動子に戻ってきた超音波を超音波振動子で受信して受信信号を得る送受信部と、
上記受信信号に基づく画像を生成する画像生成部と、
上記穿刺針先端を振動させる振動機構とを備え、
上記送受信部が、超音波振動子に伝播してきた穿刺針先端の振動を受信して穿刺針先端位置を検出し、検出された穿刺針先端位置に応じて超音波ビームの焦点距離が変化するように超音波振動子を駆動するものであることを特徴とする。
【００３２】
穿刺術を施す際に画像上最も関心のある領域は、穿刺針先端近傍の領域であり、その領域の画像分解能を向上させることが好ましい。一方、超音波ビームのビーム径は、その超音波ビームの長手方向どこでも同じビーム径ではなく、超音波ビームには、ある深さ位置に最も細かいビーム径を有する焦点が形成されている。ここで、ビーム径が細かい方が分解能が高く、穿刺針先端位置に応じた深さ位置に超音波ビームの焦点を形成することにより、穿刺術に好適な高分解能の画像を生成することができる。
さらに、本発明の超音波診断装置のうちの第６の超音波診断装置は、被検体内に延びる複数本の走査線それぞれに沿う超音波ビームの送信と受信とを繰り返すことにより被検体内を走査し、その走査により得られた受信信号に基づいて、それら複数本の走査線により規定される走査領域内の画像を生成する超音波診断装置において、
被検体にあてがわれて被検体内への超音波の送信と被検体内で反射した超音波の受信とを行なう超音波振動子を有する本体部と、被検体内に刺し込まれる穿刺針を案内するガイド部材とを備えた超音波プローブと、
複数本の走査線それぞれに沿って進む超音波ビームが順次に形成されるように超音波振動子を駆動するとともに、被検体内で反射して超音波振動子に戻ってきた超音波を超音波振動子で受信して受信信号を得る送受信部と、
上記受信信号に基づく画像を生成する画像生成部とを備え、
上記超音波プローブが、穿刺針の、ガイド部材を通過する先端側の部分の長さを測定するセンサを備え、
上記送受信部が、そのセンサにより測定された長さに応じた周波数の超音波ビームが形成されるように超音波振動子を駆動するものであることを特徴とする。
【００３３】
この第６の超音波診断装置は、穿刺針の刺し込まれた部分の長さに応じて超音波ビームの周波数を変更するものであって、前述の第３の超音波診断装置と同様、そのときの穿刺針の刺し込み長さに応じてできる限り分解能の高い画像を生成することができる。
さらに、本発明の超音波診断装置のうちの第７の超音波診断装置は、被検体内に延びる複数本の走査線それぞれに沿う超音波ビームの送信と受信とを繰り返すことにより被検体内を走査し、その走査により得られた受信信号に基づいて、それら複数本の走査線により規定される走査領域内の画像を生成する超音波診断装置において、
被検体にあてがわれて被検体内への超音波の送信と被検体内で反射した超音波の受信とを行なう超音波振動子を有する本体部と、被検体内に刺し込まれる穿刺針を案内するガイド部材とを備えた超音波プローブと、
複数本の走査線それぞれに沿って進む超音波ビームが順次に形成されるように超音波振動子を駆動するとともに、被検体内で反射して超音波振動子に戻ってきた超音波を超音波振動子で受信して受信信号を得る送受信部と、
上記受信信号に基づく画像を生成する画像生成部とを備え、
上記超音波プローブが、穿刺針の、ガイド部材を通過する先端側の部分の長さを測定するセンサを備え、
上記送受信部が、そのセンサにより測定された長さに応じた周期で超音波ビームが順次形成されるように超音波振動子を駆動するものであることを特徴とする。
【００３４】
この第７の超音波診断装置によれば、前述の第４の超音波診断装置と同様、超音波ビーム形成の周期を調整することにより、フレームレートと分解能が高いレベルで調整された、穿刺術に好適な画像を得ることができる。
さらに本発明の超音波診断装置のうちの第８の超音波診断装置は、被検体内に延びる複数本の走査線それぞれに沿う超音波ビームの送信と受信とを繰り返すことにより被検体内を走査し、その走査により得られた受信信号に基づいて、それら複数本の走査線により規定される走査領域内の画像を生成する超音波診断装置において、
被検体にあてがわれて被検体内への超音波の送信と被検体内で反射した超音波の受信とを行なう超音波振動子を有する本体部と、被検体内に刺し込まれる穿刺針を案内するガイド部材とを備えた超音波プローブと、
複数本の走査線それぞれに沿って進む超音波ビームが順次に形成されるように超音波振動子を駆動するとともに、被検体内で反射して超音波振動子に戻ってきた超音波を超音波振動子で受信して受信信号を得る送受信部と、
上記受信信号に基づく画像を生成する画像生成部とを備え、
上記超音波プローブが、穿刺針の、ガイド部材を通過する先端側の部分の長さを測定するセンサを備え、
上記送受信部が、そのセンサにより測定された長さに応じて超音波ビームの焦点距離が変化するように超音波振動子を駆動するものであることを特徴とする。
【００３５】
本発明の第８の超音波診断装置によれば、穿刺針の刺し込み長さに応じて超音波ビームの焦点位置が調整され、前述した第５の超音波診断装置と同様、穿刺術に好適な高分解能の画像を得ることができる。
ここで、上記第１〜第８の超音波診断装置は、二次元的に広がる平面的な走査領域内の画像を生成するものであってもよいが、被検体内に延びる、立体的に配列された複数本の走査線それぞれに沿う超音波ビームの送信と受信とを繰り返すことにより被検体内を走査し、その走査により得られた受信信号に基づいて、それら複数本の走査線により規定される立体的な走査領域内の画像を生成するものであることも好ましい態様である。
【００３６】
前述したように、穿刺針は組織の境界等で少し曲げられて進み、あらかじめ定められた通過経路から外れる場合があるが、この穿刺針が曲がる方向は二次元的な走査面内のみではなく、その走査面から外れる方向にも曲がることがあり、その場合、画像から外れてしまう結果となる。そこで、立体的な走査領域を形成して三次元画像を得ることにより、常に穿刺針先端位置をモニタすることができる。
【００３７】
尚、三次元画像の構築には通常長時間を要するため、穿刺針の通過経路近傍の領域のみ、三次元画像を構築することが好ましい。
【００３８】
【発明の実施の形態】
以下、本発明の実施形態について説明する。
図１は、本発明の超音波診断装置の一実施形態を示すブロック図である。ここでは先ず、このブロック図を参照して、本実施形態の超音波診断装置の概要について説明する。  以下、各部の作用ないし機能の説明はあとにまわし、先ずは、この超音波診断装置の構成について説明する。
【００３９】
この超音波診断装置の本体部１０は、大別して、制御部１００、アナログ処理部２００、ディジタルスキャンコンバータ部３００、ドプラ処理部４００、表示制御部５００、生体信号アンプ部６００から構成されている。制御部１００は、ＣＰＵ部１０１と、ビームスキャン制御部１０２と、送受信用メモリ１０３とからなり、ＣＰＵ部１０１には、操作パネル７０１、一体的に構成されたタッチパネル７０２とＥＬ表示器７０３、およびフロッピィディスク装置７０４が接続されている。
【００４０】
また、アナログ処理部２００は、送受信部２０１、受信ディレイ制御部２０２、ビームフォーマ部２０３、コントロールインターフェイス部２０４、アナログ信号処理部２０５、およびドプラシグナル処理部２０６から構成されており、コントロールインターフェイス部２０４と、送受信部２０１、受信ディレイ制御部２０２、およびドプラシグナル処理部２０６は、制御ライン２０７で結ばれている。また、コントロールインターフェイス部２０４とアナログ信号処理部２０５は制御ライン２０８で結ばれており、さらに、受信ディレイ制御部２０２とビームフォーマ部２０３は制御ライン２０９で結ばれている。アナログ処理部２００を構成する送受信部２０１には、超音波プローブ２０が、着脱自在に、ここでは最大４本まで接続される。
【００４１】
また、ディジタルスキャンコンバータ部３００には、白黒用スキャンコンバータ３０１、カラー用スキャンコンバータ３０２、およびスクロール用スキャンコンバータ３０３が備えられている。
また、ドプラ処理部４００には、パルス／連続波ドプラ解析部４０１とカラードプラ解析部４０２が備えられている。
【００４２】
さらに、表示制御部５００は、ここでは１つのブロックで示されており、この表示制御部５００には、プリンタ７０５、ＶＴＲ（ビデオテープレコーダ）７０６、観察用テレビモニタ７０７、およびスピーカ７０８が接続されている。
また、生体信号アンプ部６００も、表示制御部５００と同様、ここでは１つのブロックで示されており、この生体信号アンプ部６００には、ＥＣＧ電極ユニット７０９、心音マイク７１０、および脈波用トランスデューサ７１１が接続されている。
【００４３】
さらに、この超音波診断装置には、電源部８００が備えられている。この電源部８００は、商用電源に接続され、この超音波診断装置各部に必要な電力を供給する。
また、本体部１０は、ＣＰＵバス９０１を有しており、このＣＰＵバス９０１は、制御部１００を構成するＣＰＵ部１０１およびビームスキャン制御部１０２と、アナログ処理部２００を構成するコントロールインターフェイス部２０４と、ディジタルスキャンコンバータ部３００を構成する白黒用スキャンコンバータ３０１、カラー用スキャンコンバータ３０２、およびスクロール用スキャンコンバータ３０３と、ドプラ処理部４００を構成するパルス／連続波ドプラ解析部４０１およびカラードプラ解析部４０２と、さらに画像表示部５００とを接続している。また、この本体部１０は、エコーバス９０２を有しており、このエコーバス９０２は、アナログ処理部２００を構成するアナログ信号処理部２０５で生成される画像データを、ディジタルスキャンコンバータ部３００に供給する。また、ドプラ処理部４００を構成するパルス／連続波ドプラ解析部４０１およびカラードプラ解析部４０２で生成されたデータも、エコーバス９０２を経由してディジタルスキャンコンバータ部３００に供給される。さらに、この本体部１０は、ビデオバス９０３を有しており、このビデオバス９０３は、ディジタルスキャンコンバータ部３００を構成する白黒用スキャンコンバータ３０１、カラー用スキャンコンバータ３０２、およびスクロール用スキャンコンバータ３０３のいずれかで生成されたビデオ信号を表示制御部５００に伝達する。
【００４４】
操作パネル７０１は、多数の操作子７０１１，７０１２，７０１３，７０１４，７０１５，７０１６，…を含む、多数のキーを備えたキーボード等からなり、この操作パネル７０１を操作するとその操作情報がＣＰＵ部１０１で検知され、その操作情報に応じた指令が、その指令に応じて、ビームスキャン制御部１０２、コントロールインターフェイス部２０４、ディジタルスキャンコンバータ部３００、ドプラ処理部４００、あるいは表示制御部５００に伝達される。
【００４５】
ＥＬ表示部７０３は、液晶表示画面を有し、また、ＣＰＵ部１０１は、そのＥＬ表示部７０３の液晶表示画面に表示するＥＬ用線画を作成するＥＬ用線画作成部を兼ねており、そのＣＰＵ部１０１で生成されたＥＬ用線画がＥＬ表示部７０３の液晶表示画面上に表示される。そのＥＬ表示部７０３の液晶表示画面上にはタッチパネル７０２が備えられており、そのタッチパネル７０２に指で触れるとそのタッチパネル７０２上の指で触れた位置をあらわす位置情報がＣＰＵ部１０１に伝達される。このタッチパネル７０２およびＥＬ表示器７０３は、例えば、操作パネル７０１の操作により、この超音波診断装置に、ある１つのモードに関するパラメータを設定する旨指示すると、ＣＰＵ１０１により、その１つのモード用に設定すべき多数のパラメータ一覧がＥＬ表示部７０３に表示され、タッチパネル７０２を指で触れて所望のパラメータを設定するなど、この超音波診断装置への各種の指示を入力し易いように構成されたものである。
【００４６】
フロッピィディスク装置７０４は、図示しないフロッピィディスクが装脱自在に装填され、その装填されたフロッピィディスクをアクセスする装置であって、ＣＰＵ部１０１により、オペレータが操作パネル７０１やタッチパネル７０２の操作により行なった指示がそのフロッピィディスク装置７０４に装填されたフロッピィディスクに書き込まれ、この超音波診断装置への電源投入時、あるいは操作パネル７０１の操作により初期状態へのリセットが指示された時に、そのフロッピィディスク装置７０４に装填されたフロッピィディスクからそこに書き込まれている各種の指示情報がＣＰＵ部１０１に入力され、ＣＰＵ部１０１は、その指示情報に応じて各部を初期状態に設定する。これは、この超音波診断装置を稼働させるにあたって必要となる、操作パネル７０１やタッチパネル７０２から設定すべきパラメータ等が多数存在し、例えば電源投入のたびにそれら多数のパラメータ等を設定し直すのは極めて大変であり、このためフロッピィディスクに初期状態のパラメータ等を書き込んでおいて、電源投入時や初期状態へのリセットが指示された時には、そのフロッピィディスクに書き込まれているパラメータ等を読み込んでそれらのパラメータ等に応じて各部を設定することにより、パラメータ等の設定効率化を図るというものである。
【００４７】
制御部１００を構成するＣＰＵ部１０１は、上述のように、主としてマン・マシンインターフェイスの役割りを担っているのに対し、同じく制御部１００を構成するビームスキャン制御部１０２は、主として、この超音波診断装置による超音波の送受信のタイミング等、リアルタイム性が要求される制御を担当している。この超音波診断装置で超音波の送受信を行なう時には、送受信用メモリ１０３から、アナログ処理部２００を構成する各部を制御するためのデータが読み出され、送受信用メモリ１０３から読み出されたデータは、ビームスキャン制御部１０２からＣＰＵバス９０１を経由してアナログ処理部２００のコントロールインターフェイス部２０４に伝達され、このコントロールインターフェイス部２０４は、制御ライン２０７を経由して、送受信部２０１、受信ディレイ制御部２０２、およびドプラシグナル処理部２０６を制御し、また、このコントロールインターフェイス部２０４は、制御ライン２０８を介してアナログ信号処理部２０５を制御し、さらに受信ディレイ制御部２０２は、コントロールインターフェイス部２０４の制御を受けて、制御ライン２０９を介してビームフォーマ部２０３を制御する。送受信用メモリ１０３から読み出されたデータによるアナログ処理部２００の各部の制御についての詳細は後述する。
【００４８】
送受信部２０１には、超音波プローブ２０が接続されている。この超音波プローブには、例えばリニア走査型超音波プローブ、コンベックス走査型超音波プローブ、セクタ走査型超音波プローブ、また特殊な超音波プローブとしては、体腔内に挿入されるタイプの超音波プローブ、さらには、これら各種の超音波プローブについて、使用される超音波の周波数の相違による種別等、多種類の超音波プローブが存在する。超音波プローブを本体部１０に装着するにはコネクタ（図示せず）が用いられるが、本体部１０側には超音波プローブを接続するためのコネクタが４個取り付けられており、前述したように、多種類の超音波プローブのうち最大４本まで同時装着が可能である。超音波プローブを本体部１０に装着すると、どの種類の超音波プローブが装着されたかをあらわす情報が本体部１０で認識できるように構成されており、その情報は、制御ライン２０７、コントロールインターフェイス部２０４、およびＣＰＵバス９０１を経由してＣＰＵ部１０１に伝えられる。一方、操作パネル７０１からは、操作子７０１１の操作により、この超音波診断装置を使用するにあたり、今回、本体部１０側の４つのコネクタのうちのどのコネクタに接続された超音波プローブを使用するか指示が入力される。その指示は、ＣＰＵバス９０１を経由してビームスキャン制御部１０２に伝えられ、ビームスキャン制御部１０２は、送受信用メモリ１０３から、使用する超音波プローブに応じたデータを読み出し、その読み出されたデータは、ＣＰＵバス９０１、コントロールインターフェイス部２０４、制御ライン２０７を経由して送受信部２０１に伝達され、送受信部２０１は、上記のようにして指示された超音波プローブ２０に対し、以下に説明するように高電圧パルスを送信して超音波を送信し、その超音波プローブで受信された信号を受け取る。ここでは、図１に１つだけ示す超音波プローブ２０が超音波送受信のために選択されたものとする。
【００４９】
図１に示す超音波プローブ２０はいわゆるコンベックス走査型の超音波プローブであり、その先端には、複数の超音波振動子２１１が円弧上に配列されており、超音波の送受信にあたっては、被検体（特に人体）１の体表に超音波振動子２１１があてがわれる。その状態で、送受信部２０１から複数の超音波振動子２１１それぞれに向けて超音波送信用の各高電圧パルスが印加される。複数の超音波振動子２１１それぞれに印加される各高電圧パルスは、コントロールインターフェイス部２０４の制御により相対的な時間差が調整されており、これら相対的な時間差がどのように調整されるかに応じて、これら複数の超音波振動子２１１から、被検体１の内部に延びる複数の走査線２のうちのいずれか一本の走査線に沿って、被検体内部の所定深さ位置に焦点が結ばれた超音波パルスビームが送信される。
【００５０】
この送信される超音波パルスビームの属性、すなわち、その超音波パルスビームの方向、焦点の深さ位置、中心周波数等は、もともとは送受信用メモリ１０３にそれらのデータが格納されており、超音波振動子２１１からは、ビームスキャン制御部１０２により送受信用メモリ１０３から読み出されＣＰＵバス９０１を経由してコントロールインターフェイス部２０４に伝えられたデータにより定まる超音波パルスビームが送信される。
【００５１】
この超音波パルスビームは被検体１の内部を進む間にその１本の走査線上の各点で反射して超音波プローブ２０に戻り、その反射超音波が複数の超音波振動子２１１で受信される。この受信により得られた複数の受信信号は、送受信部２０１に入力されて送受信部２０１に備えられた複数のプリアンプ（図示せず）でそれぞれ増幅された後ビームフォーマ部２０３に入力される。このビームフォーマ部２０３には、多数の中間タップを備えたアナログ遅延線（後述する）が備えられており、受信ディレイ制御部２０２の制御により、送受信部２０１から送られてきた複数の受信信号がアナログ遅延線のどの中間タップから入力されるかが切り換えられ、これにより、それら複数の受信信号が相対的に遅延されるとともに互いに電流加算される。ここで、それら複数の受信信号に関する相対的な遅延パターンを制御することにより、被検体１の内部に延びる所定の走査線に沿う方向の反射超音波が強調され、かつ被検体１の内部の所定深さ位置に焦点が結ばれた、いわゆる受信超音波ビームが形成される。ここで、超音波は、被検体１内部を、信号処理の速度と比べてゆっくりと進むため、１本の走査線に沿う反射超音波を受信している途中で被検体内のより深い位置に焦点を順次移動させる、いわゆるダイナミックフォーカスを実現することもでき、この場合、超音波パルスビーム１回の送信に対応する１回の受信の間であっても、その途中で時間的に順次に、受信ディレイ制御部２０２により、各超音波振動子で得られた各受信信号が入力される、アナログ遅延線の各タップが切り換えられる。
【００５２】
この受信超音波ビームの属性、すなわち受信超音波ビームの方向、焦点位置等についても、もともとは送受信用メモリ１０３に格納されていたデータにより定められる。すなわち、送受信用メモリ１０３に格納されていたデータがビームスキャン制御部１０２により読み出され、ＣＰＵバス９０１を経由してコントロールインターフェイス部２０４に伝えられ、さらに制御ライン２０７を経由して受信ディレイ制御部２０２に伝えられ、受信ディレイ制御部２０２はそのようにして伝えられてきたデータに基づいて、ビームフォーマ部２０３を制御する。
【００５３】
尚、上記説明では、超音波振動子２１１には高電圧パルスを与え、超音波パルスビームを送信する旨説明したが、この場合、前述したように超音波は信号処理速度と比べるとゆっくりと被検体内を進むため、超音波振動子２１１に高電圧パルスを印加した時点を起点とし、超音波振動子２１１で反射超音波を受信する時点までの時間により、その時点で得られた信号が被検体内のどの深さ位置で反射した反射超音波に対応する信号であるかを知ることができる。すなわち、送信される超音波がパルス状のものであることにより、被検体の深さ方向に分解能を持つことになる。通常は、このように、超音波振動子２１１には高電圧パルスが印加されるが、特殊な場合には、被検体内の深さ方向に分解能を持たないことを許容し、超音波振動子２１１に連続的に繰り返す高電圧パルス列信号を印加して被検体内に連続波としての超音波ビームを送信することもある。
【００５４】
ただし、以下においても、ドプラ処理部４００を構成するパルス／連続波ドプラ解析部４０１の説明の際に連続波に言及する場合を除き、パルス状の超音波ビームを送信するものとして説明する。
図１に示す超音波プローブ２０は、図２１を参照して説明した従来の超音波プロー部と同様、配列された超音波振動子２１１を備えた本体部２１と、その本体部２１に着脱自在に装着されるガイド部材２２で構成されている。ガイド部材２２には、穿刺針３０が、被検体１内部の、複数の走査線２によって規定される走査領域３内であって、かつあらかじめ定められた方向に差し込まれるように穿刺針３０を案内する案内孔２２ａが設けられており、穿刺針３０は、その案内孔２２ａに挿入され、その案内孔２２ａに案内されながら被検体内の患部１１に向けて刺し込まれる。
【００５５】
送受信部２０１およびビームフォーマ部２０３は、上記のようにして、被検体１内部の複数の走査線２のそれぞれに沿って順次に超音波パルスビームの送信と受信とを繰り返し、これにより生成される各走査線に沿う受信超音波ビームをあらわす走査線信号が順次アナログ信号処理部２０５に入力される。このアナログ信号処理部２０５では、入力された走査線信号が対数圧縮され、検波され、さらに、操作パネル７０１の操作子７０１２を操作することにより指定された、被検体１内部のどの深さ領域までの画像を表示するかという指定（つまり被検体内部の浅い領域のみの画像を表示すればよいのか、あるいはどの程度深い領域までの画像を表示する必要があるかという指定）に応じたフィルタリング処理等が施され、さらにＡ／Ｄ変換器によりディジタルの画像データに変換される。このアナログ信号処理部２０５から出力された画像データは、エコーバス９０２を経由して、ディジタルスキャンコンバータ部３００を構成する白黒用スキャンコンバータ３０１に入力される。この白黒用スキャンコンバータ３０１では、表示用の各画素に対応したデータを生成するための補間演算処理が施され、さらに入力された画像データが表示用のビデオ信号に変換され、その表示用のビデオ信号がビデオバス９０３を経由して表示制御部５００に入力される。この表示制御部５００は、複数の走査線２で規定される被検体断層面内の超音波反射強度分布によるＢモード像を観察用テレビモニタ７０７に表示する。その際、必要に応じて、操作パネル７０１から入力された患者名や撮影年月日、撮影条件等も、そのＢモード像に重畳されて表示される。このＢモード像として、被検体１内部が動いている様子をあらわす動画像を表示することもでき、あるいは、ある時点における静止画像を表示することもでき、さらには、生体信号アンプ部６００からの同期信号に基づいて、人体の心臓の動きに同期した、その心臓の動きの、ある位相における画像を表示することもできる。
【００５６】
生体信号アンプ部６００には、被検体（人体）１の心電波形を得るためのＥＣＧ電極ユニット７０９、心音をピックアップする心音マイク７１０、人体の脈をとらえる脈波用トランスデューサ７１１が接続されており、生体信号アンプ部６００では、これらのうちのいずれか１つもしくは複数のセンサに基づいて同期信号が生成され、表示制御部５００に送られる。
【００５７】
また表示制御部５００には、観察用テレビモニタ７０７のほか、プリンタ７０５、ＶＴＲ（ビデオテープレコーダ）７０６が接続されており、表示制御部５００は、オペレータからの指示に応じて、観察用テレビモニタ７０７に表示された画像をプリンタ７０５ないしはＶＴＲ７０６に出力する。
再度、アナログ処理部２００の説明から始める。
【００５８】
被検体内部に延びるある一本の走査線上の超音波反射情報の時間変化を知ろうとするときは、オペレータからの指示に応じて、その関心のある一本の走査線に沿って超音波が繰り返し送受信され、その１本の走査線に沿う被検体の受信超音波ビームをあらわすデータがエコーバス９０２を経由してスクロール用スキャンコンバータ３０３に入力される。このスクロール用スキャンコンバータ３０３は、縦方向にその１本の走査線に沿う被検体の深さ方向の超音波反射強度分布、横軸が時間軸からなり時間軸方向にスクロールする画像（Ｍモード像）をあらわすビデオ信号が生成され、ビデオバス９０３を経由して表示制御部５００に入力され、例えば観察用テレビモニタ７０７に、そのビデオ信号に基づく画像が表示される。尚、表示制御部５００は、白黒用スキャンコンバータ３０１から送られてきたＢモード像をあらわすビデオ信号とスクロール用スキャンコンバータ３０３から送られてきたＭモード像をあらわすビデオ信号とを横に並べる機能や、Ｂモード像に、後述するカラーモード像を重畳する機能も有しており、観察用テレビモニタ７０７には、オペレータからの指示に応じて、複数の画像が並べて表示され、あるいは複数の画像が重畳して表示される。
【００５９】
もう一度、アナログ処理部２００の説明に戻る。
アナログ処理部２００を構成するドプラシグナル処理部２０６は、被検体１内部の血流分布や、ある一点、ないしある１本の走査線上の血流速度を求めるための構成要素であり、このドプラシグナル処理部２０６では、ビームフォーマ部２０３で生成された受信超音波ビームをあらわす走査線信号に、いわゆる直交検波が施され、さらにＡ／Ｄ変換によりディジタルデータに変換される。ドプラシグナル処理部２０６から出力された直交検波後のデータは、ドプラ処理部４００に入力される。ドプラ処理部４００には、パルス／連続波ドプラ解析部４０１とカラードプラ解析部４０２とが備えられており、ここでは、ドプラシグナル処理部２０６から出力されたデータは、カラードプラ解析部４０２に入力されるものとする。カラードプラ解析部４０２では、各走査線それぞれに沿って例えば８回ずつ超音波送受信を行なったときのデータに基づく自己相関演算により、オペレータにより指定された、Ｂモード画像上の関心領域（ＲＯＩ）内の血流分布をあらわすデータが求められる。ＲＯＩ内の血流分布をあらわすデータは、エコーバス９０２を経由してカラー用スキャンコンバータ３０２に入力される。このカラー用スキャンコンバータ３０２では、そのＲＯＩ内の血流分布をあらわすデータが表示に適したビデオ信号に変換され、そのビデオ信号は、ビデオバス９０３を経由して表示制御部５００に入力される。表示制御部５００では、白黒用スキャンコンバータ３０１から送られてきたＢモード像上のＲＯＩに、例えば超音波プローブ２０に近づく方向の血流を赤、遠ざかる方向の血流を青、それらの輝度で血流速度をあらわしたカラーモード像を重畳して、観察用テレビモニタ７０７に表示する。これにより、そのＲＯＩ内の血流分布の概要を把握することができる。
【００６０】
ここで、オペレータにより、そのＲＯＩ内のある１点もしくはある１本の走査線上の血流を詳細に観察する旨の要求が入力されると、今度は送受信部２０１により、その一点を通る一本の走査線、もしくはその関心のある１本の走査線に沿う方向に多数回超音波の送受信が繰り返され、それにより得られた信号に基づいてドプラシグナル処理部２０６で生成されたデータが、ドプラ処理部４００を構成するパルス／連続波ドプラ解析部４０１に入力される。被検体内のある一点の血流に関心があるときは、被検体内にはパルス状の超音波ビームが送信され、ある１本の走査線上の血流情報が平均化されることを許容しＳ／Ｎの良い血流情報を得たいときは、被検体内には連続波としての超音波ビームが送信される。
【００６１】
パルス／連続波ドプラ解析部４０１では、ある１点もしくはある１本の走査線について多数回超音波送受信を行なうことにより得られたデータに基づくＦＦＴ（Ｆａｓｔ  Ｆｏｕｒｉｅｒ  Ｔｒａｎｓｆｏｒｍ）演算により、その一点の血流情報あるいはその一本の走査線上の平均的な血流情報が得られる。このパルス／連続波ドプラ解析部４０１で得られた血流情報をあらわすデータは、エコーバス９０２を経由して、スクロール用スキャンコンバータ３０３に入力され、スクロールスキャンコンバータ３０３では、縦軸が血流速度、横軸が時間軸からなり時間軸方向にスクロールする画像をあらわすビデオ信号が生成される。このビデオ信号は、ビデオバス９０３を経由して表示制御部５００に入力され、観察用テレビモニタ７０７上に、例えば白黒用スキャンコンバータ３０１から送られてきたＢモード像と並べられて表示される。
【００６２】
図２は、図１に１つのブロックで示す送受信用メモリに格納されたデータの概念図である。
ここには多数の走査線データ１〜ｍ、および多数のシーケンスデータ１〜ｎが格納されている。各１つの走査線データは、ある１つの超音波プローブの、ある１本の走査線に沿った送信超音波ビーム、受信超音波ビームの属性を規定するデータの集合からなり、具体的には、ある走査線データ（例えば走査線データ１）は、ある特定の１種類の超音波プローブに適合したデータであって、かつ、その超音波プローブ２０における複数の走査線２のうちのある１本の走査線に沿う方向に送信される、ある深さ位置に焦点が形成された、ある周波数の送信超音波ビームを形成するために複数の超音波振動子２１１にそれぞれ与える高電圧パルスの相対的な時間差（それら相対的な時間差全体を遅延パターンと称する）、およびそれら複数の超音波振動子２１１に与える高電圧パルスのパルス幅や繰返し周期等を規定するデータ、さらには、受信超音波ビームの方向や焦点位置を規定するための、各超音波振動子２１１で得られた各受信信号の相対的な遅延時間（それら相対的な遅延時間全体を、やはり遅延パターンと称する）を規定するデータ等の集合で構成されている。
【００６３】
また、各１つのシーケンスデータ（例えばシーケンスデータ１）は、走査線データの読み出し順序を規定しているデータであり、このシーケンスデータに定められた順序で複数の走査線データが順次読み出され読み出された走査線データに基づく超音波ビームの送受信が順次実行される。すなわち、操作子７０１１の操作によりある超音波プローブを使用することが指示され、さらには後述する送受信モードの切り替えが行なわれると、送受信用メモリ１０３からそれらに適合したシーケンスデータがビームスキャン制御部１０２によって読み出され、超音波の送受信にあたっては、ビームスキャン制御部１０２により、その読み出されたシーケンスデータに従って、例えば図１に示す複数の走査線２のうち、先ず最初は、最も左側の走査線に沿う超音波ビームの送受信を行うための走査線データが読み出されアナログ処理部２００に送られてその走査線に沿う超音波ビームの送受信が実行され、次いで左側から２番目の走査線に沿う超音波ビームの送受信を行うための走査線データが読み出されアナログ処理部に送られてその走査線に沿う超音波ビームの送受信が実行される。以下同様であり、最も右側の走査線に沿う超音波ビームの送受信が実行され、これにより１フレーム分の受信信号が得られ、走査領域３についての１枚の画像が生成される。次いで、次のフレームの画像を生成するために、再度、最も左側の走査線に沿う超音波ビームの送受信に移る。
【００６４】
図３は、複数の超音波振動子に印加される高電圧パルスの遅延パターンを示した概念図である。
配列された複数の超音波振動子２１１に、配列の両端（Ａ），（Ｂ）に位置する超音波振動子と比べ配列の中央（Ｏ）よりに位置する超音波振動子に、時間的に遅れた高圧パルス２１２を印加する。このように、遅延パターンを持った高電圧パルスを複数の超音波振動子２１１に印加することにより、被検体内の所定の方向に延び、かつある深さ位置に焦点が形成された送信超音波パルスビームが形成される。
【００６５】
図４は、パルス幅および繰返し周期の異なる高電圧パルスが超音波振動子に印加される様子を示した模式図である。
図４（Ａ）と図４（Ｂ）とを比べると、図４（Ａ）よりも図４（Ｂ）の方がパルス幅が広く、かつ繰返し周期の長い高電圧パルスが超音波振動子２１１に印加されている。
【００６６】
送受信に用いる超音波の周波数を大きく異ならせるには、その周波数に適合した超音波振動子が配列された超音波プローブを各周波数毎に準備する必要があるが、図４に示すように、超音波振動子２１１に印加する高電圧パルスのパルス幅や繰返し周期を調整することにより、ある範囲内で超音波の周波数を調整することができる。
【００６７】
図５は、ビームフォーマ部における、受信超音波ビームの形成の仕方を示す原理説明図である。
ここでは、説明の簡単のため、複数のタップを備えた遅延線１００１ａ，…，１００１ｍ，…，１００１ｎと、制御信号に応じて受信信号の遅延線への入力ルートを切り換える選択スイッチ１００２ａ，…，１００２ｍ，…，１００２ｎとのペアが各超音波振動子２１１に対応して備えられているものとする。各選択スイッチ１００２ａ，…，１００２ｍ，…，１００２ｎにはそれぞれ１つの超音波振動子２１１で得られた１つの受信信号が入力され、各選択スイッチ１００２ａ，…，１００２ｍ，…，１００２ｎでは、その入力された受信信号が、遅延線の複数のタップのうちの、制御信号に応じたタップから遅延線に入力される。各遅延線は２００１ａ，…，２００１ｍ，…，２００１ｎは受信信号が入力されたタップに応じた遅延時間だけその入力された受信信号を遅延して加算器１００３に入力する。加算器１００３は、その加算器１００３に同時に入力された受信信号どうしを加算して、受信超音波ビームをあらわす走査線信号を出力する。
【００６８】
なお、この図５では、解りやすさのため、超音波振動子の個数と同数の、遅延線１００１ａ，…，１００１ｍ，…，１００１ｎと選択スイッチ１００２ａ，…，１００２ｍ，…，１００２ｎとのペアを備えるとともに、各遅延線１００１ａ，…，１００１ｍ，…，１００１ｎから出力された受信信号を互いに加算する加算器１０３を備えた構成について説明したが、実際には、多数のタップを備えた一本の遅延線に、複数の超音波振動子で得られた複数の受信信号が、入力されるタップがそれぞれ制御されながら入力され、それら複数の受信信号がそれぞれ入力された各タップに応じた時間だけ遅延されると共にその遅延線内で互いに電流的に加算され、その一本の遅延線から、制御された遅延パターンに従って遅延を受けかつ互いに加算された走査線信号が、直接に出力される。
【００６９】
図６は、遅延パターンと、走査線の方向と、焦点位置との関係を示した説明図である。
Ａ−Ｂ間に複数の超音波振動子が配列されているものとし、Ａ−Ｂ間の中点をＯとする。このとき、各超音波振動子に印加される高電圧パルスに、図６（Ａ）に示すようにＢ側に位置する超音波振動子に対し長めの遅延時間を与えて各超音波振動子に印加すると、中点ＯからＢ側に傾いた方向に延びる走査線に沿う送信超音波ビームが形成され、図６（Ｂ）に示すように、左右対称の遅延パターンを与えると中点Ｏから超音波振動子２１１の配列方向に対し垂直に延びる走査線に沿う送信超音波ビームが形成され、図６（Ｃ）に示すように、Ａ側に位置する超音波振動子に対し長めの遅延時間を与えた高電圧パルスを印加すると、Ａ側に傾いた送信超音波ビームが得られる。また、同一の走査線に沿う送信超音波ビームであっても、高電圧パルスの遅延パターンに応じて焦点位置を定めることができる。具体的には、図６（Ａ）〜（Ｃ）に破線で示すように焦点を中心としてＡ−Ｂ間を結ぶ線分に接する円弧を描くいて考える。各超音波振動子から送信された超音波パルスがその円弧上に同時に到達すると、それらの超音波パルスは焦点に集まるように進む。したがって、例えば図６（Ｂ）のように焦点を形成する場合は、Ａ点およびＢ点に位置する超音波振動子に同時に高電圧パルスが印加され、その高電圧パルスの印加によってＡ点およびＢ点に位置する超音波振動子から発せられた超音波パルスがその円弧上に達したタイミングでＯ点に位置する超音波振動子に高電圧パルスが印加されてそのＯ点に位置する超音波振動子から超音波パルスが送信される。こうすることにより、図６（Ｂ）に示す走査線に沿うとともに図６（Ｂ）に示す焦点位置で最も細いビーム径を有する送信超音波パルスビームが形成される。
【００７０】
ここで、Ａ−Ｂ間に配列された、超音波送信に用いられている複数の超音波振動子は、例えば超音波プローブ２０（図１参照）に配列された複数の超音波振動子２１１の一部であって、送信超音波パルスビームの形成に用いる複数の超音波振動子からなる送信開口を、超音波プローブ２０に配列された超音波振動子２１１の配列方向に移動することにより、走査線を、超音波振動子２１１の配列方向に平行移動させることができる。ただし、図１に示す超音波プローブ２０の場合、超音波振動子２１１は円弧状に配列されているため、走査線は、平行移動ではなく、円弧を描くように移動することになる。
【００７１】
このようにして、超音波プローブ２０に配列された超音波振動子２１１上の任意の点を始点として被検体内の任意の方向に延びる走査線に沿うとともに、その走査線上の任意の点に焦点を持つ送信超音波ビームを得ることができる。
受信超音波ビームの形成についても上記の送信超音波ビームの場合と同様である。
【００７２】
すなわち、被検体内で反射し各超音波振動子に戻ってきた超音波を各超音波振動子で受信することにより得られた各受信信号を、図６（Ａ）に示すように、Ｂ側の超音波振動子で得られた受信信号に対し長めの遅延時間を与えた上で互いに加算すると、中点Ｏを始点としＢ側に傾いた走査線に沿う受信超音波ビームが形成され、図６（Ｂ）に示すように左右対称の遅延時間を与えた上で互いに加算すると、中点Ｏを始点として超音波振動子の配列方向に対し垂直に延びる走査線に沿う受信超音波ビームが形成され、図６（Ｃ）に示すようにＡ側の超音波振動子で得られた受信信号に対し長めの遅延時間を与えた上で互いに加算すると、点Ｏを始点としＡ側に傾いた走査線に沿う受信超音波ビームが得られる。また、同一の走査線に沿う受信超音波ビームであっても、遅延パターンに応じて焦点位置を定めることができる。具体的には、焦点で反射してそれぞれ各点Ａ，Ｏ，Ｂに向かう超音波は、焦点と各点Ａ，Ｏ，Ｂとを結ぶ各線分と、円弧との交点に同時に到達することになり、焦点で反射した超音波を各超音波振動子で受信する時刻に差異が生じることになる。そこで焦点で反射した超音波が先に到達した超音波振動子で得られた受信信号を、超音波が後から到達する超音波振動子に超音波が到達する迄の間遅延させた上で互いに加算すると、焦点を通る走査線に沿う方向に延び、かつその焦点で最も細く絞られた受信超音波ビームが形成されることになる。
ここで、送信の場合と同様、Ａ−Ｂ間に配列された、反射超音波の受信に用いられている複数の超音波振動子は、例えば超音波プローブ２０（図１参照）に配列された複数の超音波振動子２１１の一部であって、反射超音波の受信に用いる複数の超音波振動子からなる受信開口を、超音波プローブ２０に配列された超音波振動子２１１の配列方向に移動することにより、走査線を、配列された超音波振動子２１１の方向に平行移動させることができる。ただし、図１に示す超音波プローブ２０の場合は、超音波振動子２１１は円弧上に配列されているため、送信の場合と同様走査線は平行移動ではなく円弧を描くように移動することになる。
【００７３】
このようにして、送信および受信の双方について、超音波プローブ２０に配列された超音波振動子２１１上の任意の点を始点として被検体内の任意の方向に延びる走査線に沿うとともにその走査線上の任意の点に焦点を持つ超音波ビームを得ることができる。
以上で本実施形態の超音波診断装置全体の概要説明を終了し、以下、本実施形態に特徴的な点について説明する。
【００７４】
尚、図１に示す実施形態の場合、以下の説明から明らかなように、送受信部２０１のみでなく、アナログ処理部２００全体、およびドプラ処理部４００、さらには、制御部１００の、アナログ処理部２００やドプラ処理部４００を制御する機能を合わせたものが、本発明にいう送受信部に相当し、ディジタルスキャンコンバータ部３００、表示制御部５００、ＣＰＵ部１０１の、グラフィック画像を生成する機能、および制御部１００の、ディジタルスキャンコンバータ部３００や表示制御部５００を制御する機能を合わせたもの、さらには、プリンタ７０５、ＶＴＲ７０６、および観察用テレビモニタ７０７を合わせたものが、本発明にいう画像生成部に相当する。
【００７５】
図７は、本実施形態における、超音波による被検体内の走査の各例を示す模式図である。
図７（Ａ）は、図２１に示す従来例と同様、複数の走査線２は、走査領域３内に均一に広がっている。これは、本発明にいう第１の送受信モードの一例に相当する。尚、図７（Ａ）において円Ａ、円Ｂを付した点に関しては後述する。
【００７６】
図７（Ｂ）は、走査領域３のうち、穿刺針３０の通過領域を含む第１の領域３１について、走査領域３のうち、その第１の領域３１を除く第２の領域３２よりも高い走査線密度で走査する様子が示されている。これは、本発明にいう第２の送受信モード（本発明の第１の超音波診断装置にいう第２の送受信モード）の一例に相当する。
【００７７】
また、図７（Ｃ）については、走査領域３自体が、図７（Ｂ）に示す第１の領域３１と同一の領域にまで狭められ、その狭められた走査領域３からなる第１の領域３１について走査する様子が示されている。これも本発明にいう第２の送受信モード（本発明の第２の超音波診断装置にいう第２の送受信モード）の一例に相当する。
【００７８】
これらのモード切替えは、図１に示す送受信用メモリ１０３にそれぞれのモードに対応するシーケンスデータ（図２参照）を格納しておき、操作パネル７０１の操作子７０１３を操作することにより行なわれる。操作子７０１３が操作されていずれかの送受信モードに切り替えられると、ビームスキャン制御部１０２は、操作子７０１３の操作により指定された送受信モードに応じたシーケンスデータを読み出し、超音波の送受信にあたって、送受信用メモリ１０３に格納された走査線データ（図２参照）を、その読み出したシーケンスデータに従って順次読み出すことによって、その送受信モードが実現する。
【００７９】
図８は、図１に示す観察用テレビモニタ７０７に表示される画像の模式図である。
図７（Ａ）のモードのときは、観察用テレビモニタ７０７には、広い走査領域３全域の画像が均質の分解能で表示され、図７（Ｂ）のモードのときは、一応広い走査領域３は確保されるものの、第１の領域３１については高分解能、第２の領域３２については低分解能の画像が表示される。また、図７（Ｃ）のモードのときは、第１の領域３１と同一の走査領域についての、すなわち狭い走査領域についての画像が表示される。
【００８０】
図８には、穿刺針の通過経路をあらわす線図３０ａも表示されている。この穿刺針の通過経路をあらわす線図３０ａを表示するか否かは、図１に示す操作パネル７０１上の操作子７０１４によって切り替えられ、表示することが指示されると、ＣＰＵ１０１によってその線図が作成されて、ＣＰＵバス９０１を経由して表示制御部５００に送られ、表示制御部５００では、その線図３０ａが、白黒スキャンコンバータ３０１で作成されビデオバス９０３を経由して表示制御部５００に入力されたＢモード像に重畳される。
【００８１】
尚、ここでは、図７（Ａ），（Ｂ），（Ｃ）の送受信モードの切替えは操作子７０１３で行ない図８に示す線図３０ａの表示、非表示の切替えは別の操作子７０１４で行なう旨説明したが、これらの操作子を兼用させ、図７（Ａ）の送受信モードのときは線図３０ａは非表示とし、図７（Ｂ）もしくは図（Ｃ）の送受信モードのときには線図３０ａを表示するようにしてもよい。こうすると送受信モードの選択と線図の表示、非表示の切替えとを独立に行なうことはできなくなるが、操作性は向上する。
【００８２】
患部１１を単に観察するときは、広い走査領域を確保し、かつその走査領域全体に所定の均質な分解能が得られるように、図７（Ａ）に示すモードが採用される。また、患部１１に穿刺針３０を刺し込もうとするときは、その穿刺針３０の通過経路を含む領域について高分解能の画像が得られるように、図７（Ｂ）もしくは図７（Ｃ）に示すモードが採用される。図７（Ｂ）のモードは、広い走査領域を一応確保できるという長所があり、図７（Ｃ）のモードは、図７（Ｂ）のモードよりも走査領域は狭まるがその分フレームレートを向上させることができるという長所がある。
【００８３】
図９は、観察用モニタテレビ７０７に表示される画像の他の例を示す模式図である。
ここには、患部１１を中心とした領域（拡大領域）をあらわす拡大画像が示されている。
観察用モニタテレビ７０７に図９に示すような拡大画像を表示するには、図８に示すような全体画像が表示されている段階で、図１に示す操作パネル７０１上の操作子７０１５を操作して、どの部分（拡大領域と称する）を拡大するかＲＯＩ（Ｒｅｇｉｏｎ  Ｏｆ  Ｉｎｔｅｒｅｓｔ）指定を行ない、かつ拡大すべき旨を指示する。すると、ＣＰＵ部１０１からＣＰＵバス９０１を経由して白黒用スキャンコンバータ３０１に拡大領域の位置情報が入力され、白黒用スキャンコンバータ３０１では、その拡大領域について拡大画像が得られるような補間処理演算が行なわれてその拡大領域のみをあらわす画像が生成される。また線図３０ａを重畳するときは、ＣＰＵ部１０１では、その拡大領域に適合する線図が生成される。
【００８４】
このような拡大画像の生成を、例えば図７（Ｃ）に示す送受信モードと組み合わせると、分解能が向上し、かつ拡大された画像が表示され、穿刺術にとって一層好ましい画像が得られることになる。
尚、図９に示す拡大画像にも線図３０ａが示されているが、拡大画像を生成して表示するモードと線図３０ａを表示するモードとを一致させ、線図３０ａを表示するか否かを切り替える操作子７０１４と画像拡大を指示する操作子７０１５とを兼用させ、通常の寸法の画像を表示するときは線図３０ａは非表示とし、拡大画像を表示するときに線図３０ａを表示するようにしてもよい。こうすると画像生成モードの選択と線図の表示、非表示の切替えとを独立に行なうことはできなくなるが、その分操作の手間が省かれる。
【００８５】
図１０は、図７（Ａ）の円Ａに囲まれた部分の内部構造を示す模式図である。
超音波プローブの本体部２１側には、２つの固定接片２１ａ＿１，２１ａ＿２と１つの可動接片２１ｂが備えられおり、さらに２つの固定接片２１ａ＿１，２１ａ＿２が可動接片２１ｂで導通しているか否かを検出する検出器２１ｃが備えられている。
【００８６】
図１０（Ａ）は、超音波プローブの本体部２１にガイド部材２２が装着されていない状態を示しており、２つの固定接片２１ａ＿１，２１ａ＿２は互いに非導通の状態にある。図１０（Ｂ）は、超音波プローブの本体部２１にガイド部材２２が装着された状態を示しており、可動接片２１ｂが、ガイド部材２２の突起部２２ｂに押されて２つの固定接片２１ａ＿１，２１ａ＿２の間を導通状態にしている。これら２つの固定接片２１ａ＿１，２１ａ＿２の間導通、非導通の状態は検出器２１ｃにより検出され、その情報は、図１に示す送受信部２０１、制御ライン２０７、コントロールインターフェイス部２０４、およびＣＰＵバス９０１を経由して、ＣＰＵ部１０１およびビームスキャン制御１０２に伝えられる。ＣＰＵ部１０１では、超音波プローブの本体部２１にガイド部材２２が装着されているか否かの情報を、図８，図９に示す、穿刺針の通過経路をあらわす線図３０ａの生成や、その線図３０ａ以外にも本体部２１にガイド部材２２が装着されていることを画像上に情報として表示するために使用し、ビームスキャン制御部１０２では、その情報に応じて送受信モード（図７（Ａ）〜（Ｃ）参照）の切り替えに使用する。
【００８７】
すなわち、ここでは、図１０に示すような、本体部２１への、ガイド部材２２の着脱を検出するセンサを備え、送受信モードを図７（Ａ）〜（Ｃ）のように切り替えるための操作子７０１３を備えることに代え、このセンサにより、本体部２１にガイド部材２２が装着されていないことが検出されたときに図７（Ａ）に示す送受信モード、本体部２１にガイド部材２２が装着されていることが検出されたときには、図７（Ｂ）もしくは図７（Ｃ）に示す送受信モードに切り替えられる。あるいは、操作子７０１３と図１０に示すセンサとの双方を備え、さらに操作子７０１３を有効とする手動モードと、図１０に示すセンサの方を有効とする自動モードとを切り替える操作子７０１６を備えてもよい。
【００８８】
また、図１に示す操作パネル７０１に、通常の寸法の画像を生成して表示するか拡大画像を生成して表示するかを切り替える操作子７０１５を備えることに代え、このセンサ１２より、本体部２１にガイド部材２２が装着されていないことが検出されたときに図８に示す、走査領域３の全域を通常の寸法で表示する画像を生成し（本発明にいう第１の画像生成モードに切り替え）、そのセンサにより、本体部２１にガイド部材２２が装着されていることが検出されたときに、図９に示す拡大画像を生成（本発明にいう第２の画像生成モードに切り替え）てもよい。あるいは、操作子７０１５と、図１０に示すセンサとの双方を備え、さらに、操作子７０１６により、操作子７０１５を有効とするか図１０に示すセンサの方を有効とするかを切り替えることとし、このようにして、拡大画像の生成についても、手動と自動とを使い分けてもよい。
【００８９】
図１１は、図７（Ａ）の円Ａで囲まれた部分の内部構造の他の例を示す模式図である。
超音波プローブの本体部２１には４つの固定接片２１ａ＿１，２１ａ＿２，２１ａ＿３，２１ａ＿４と３つの可動接片２１ｂ＿１，２１ｂ＿２，２１ｂ＿３が備えれらており、さらに各２つの固定接片２１ａ＿１，２１ａ＿２；２１ａ＿２，２１ａ＿３；２１ａ＿３，２１ａ＿４のペアがそれぞれ導通しているか否かを検出する３つの検出器２１ｃ＿１，２１ｃ＿２，２１ｃ＿３が備えられている。
【００９０】
また、ガイド部材２２側には、ガイド部材の種数に応じて最大３つの突起２２ｂ＿１，２２ｂ＿２，２２ｂ＿３が備えられる。ここに示すガイド部材２２の場合、２つの突起２２ｂ＿１，２２ｂ＿２が備えられている。
図１１（Ａ）は、超音波プローブの本体部２１にガイド部材２２が装着されていない状態を示しており、各２つの固定接片２１ａ＿１，２１ａ＿２；２１ａ＿２，２１ａ＿３；２１ａ＿３，２１ａ＿４のペアは、いずれも非導通の状態にある。図１１（Ｂ）は、超音波プローブの本体部２１にガイド部材２２が装着されている状態を示しており、そのガイド部材の種類に応じて、各２つの固定接片２１ａ＿１，２１ａ＿２；２１ａ＿２，２１ａ＿３；２１ａ＿３，２１ａ＿４のペアのうちのいずれか１つもしくは２つ以上が導通状態となる。この図１１（Ｂ）に示す例では、固定接片２１ａ＿１と固定接片２１ａ＿２とのペアが可動接片２１ｂ＿１により導通状態となり、固定接片２１ａ＿２と固定接片２１ａ＿３とのペアが可動接片２１ｂ＿２により導通状態となっている。固定接片２１ａ＿３と固定接片２１ａ＿４とのペアは、非導通状態にとどまっている。各固定接片ペアの導通、非導通の状態は検出器２１ｃ＿１，２１ｃ＿２，２１ｃ＿３により検出される。この検出により得られる情報は、超音波プローブの本体部２１にガイド部材２２が装着されているか否かという情報と、さらに、本体部２１にガイド部材２２が装着されている場合にその装着されているガイド部材の種類とをあらわす情報を含んでいる。
【００９１】
この情報は、図１０を参照して説明した場合と同様にして、ＣＰＵ部１０１およびビームスキャン制御部１０２に伝えられる。
ガイド部材２２の種類は、穿刺針を案内する角度の相違であり、被検体内の浅い部分に穿刺針を刺し込む必要があるか深い部分に穿刺針を刺し込む必要があるかに応じて種類の異なるガイド部材２２が本体部２１に装着される。
【００９２】
したがって本体部２１に装着されるガイド部材の種類に応じて、図８，図９に示す穿刺針の通過経路を示す線図３０ａの画像上の位置や角度が異なることになり、ＣＰＵ部１０１では、装着されたガイド部材に応じた線図が作成される。ガイド部材の種類に応じて穿刺針３０が刺し込まれる画像上の領域が異なることから、図７（Ｂ），（Ｃ）に示す分解能を向上させるべき領域（第１の領域３１）がガイド部材の種類におうじて異なる場合があり、ビームスキャン制御部１０２では、超音波プローブの本体部２１に装着されるガイド部材の種類に応じて、図７（Ｂ），（Ｃ）における第１の領域３１が切り替えられる。この切り替えは、前述したように、送受信用メモリ１０３から異なるシーケンスデータを読み出すことによって行なわれる。
【００９３】
また、送受信モードの切り替えと同様、拡大画像の生成に関しても、装着されたガイド部材の種類に応じてそのガイド部材によって刺し込まれる穿刺針の通過経路を含む領域が拡大されるように、ＲＯＩが自動的に変更される。このときは、操作子７０１５からＲＯＩ指定の機能は取り去り、その操作子７０１５を、拡大画像を生成するか否かのみの操作子としてもよく、あるいは、手動モード、自動モード切替用操作子７０１６の操作により、拡大画像のＲＯＩ指定を操作子７０１５で行なうか（手動モード）、図１１に示すセンサからの情報によって行なうかを切り替えてもよい。
【００９４】
図１２は、超音波プローブ先端部分の模式図、図１３は、図１２に円Ｃで示された、穿刺針３０の先端部分の拡大断面図である。
ここでは、穿刺針３０は、中空針３１と、その中空針３１の内壁に摺接する内針３２から構成されている。また、この穿刺針３０の後端部には、図１２に示すように、穿刺針３０の内針３２をその長手方向（図１３に示す矢印Ｚ−Ｚ方向）に振動させる加振器４０が備えられている。この加振器４０により内針３２に振動が加えられると、超音波プローブ２０の超音波振動子２１１から送信され内針３２の先端部で反射した超音波は、その内針３２の振動に起因してドプラ遷移を受けることになる。この内針３２の先端でドプラ遷移を受けながら反射し超音波振動子２１１に戻った超音波は被検体内の他の組織で反射して戻った超音波と同様にして超音波振動子２１１により受信され、図１に示す送受信部２０１、ビームフォーマ部２０３を経由し、さらにドプラシグナル処理部２０６を経由して、ここでは血流のカラー表示とは無関係であるが、カラードプラ解析部４０２に入力される。カラードプラ解析部４０２では前述した血流分布を求める演算と同様な演算により、超音波がドプラ遷移を受けた点、すなわち穿刺針３０の先端位置が検出される。この穿刺針３０の先端位置をあらわす情報は、ＣＰＵバス９０１を経由してビームスキャン制御部１０２に入力され、ビームスキャン制御部１０２では、その穿刺針３０の先端の位置に応じて、その穿刺針先端近傍の領域が高分解能の画像となるように、図７（Ｂ），（Ｃ）に示す第１の領域３１が定められる。具体的には、前述したように、その穿刺針先端位置に応じたシーケンスデータが送受信用メモリ１０３から読み出されることになる。
【００９５】
このように、穿刺針先端位置を検出して前述した第１の領域３１を定めることにより、第１の領域３１を固定的に定めておく場合と比べ、画像の分解能とフレームレートを一層高いレベルで調整することができ、あるいは第１の領域３１をオペレータが操作子を操作して設定する場合と比べ、操作の手間が省け使い勝手が向上する。
【００９６】
また、この穿刺針３０の先端の位置情報を、拡大画像のＲＯＩ指定用に用いてもよい。穿刺術を施すにあたり重要なのは穿刺針３０先端近傍の画像情報であり、常に穿刺針３０の先端位置が含まれるように拡大画像のＲＯＩを自動的に定めることにより、穿刺針３０が刺し込まれていく途中においても、常にその穿刺針３０の先端近傍が拡大されて見やすく表示されることになる。
【００９７】
図１４は、ガイド部材２２の、図７（Ａ）の円Ｂに囲まれた部分の内部構造を示す模式断面図である。
ガイド部材２２に設けられた、穿刺針３０を案内するための案内孔２２ａに穿刺針３０を挿入すると、その穿刺針３０は２つのローラ２２ｂ＿１，２２ｂ＿２に挟まれ、その穿刺針３０を被検体内に刺し込むにつれそれらの２つのローラ２２ｂ＿１，２２ｂ＿２が図１４に示す矢印方向に回転する。それら２つのローラ２２ｂ＿１，２２ｂ＿２のうちの一方のローラ２２ｂ＿１には、そのローラ２２ｂ＿１の回転量を計測するポテンショメータ２３が連結されている。したがってこのポテンショメータ２３により、穿刺針３０が被検体内にどれだけ刺し込まれたかを知ることができる。このポテンショメータ２３の出力は、送受信部２０１，制御ライン２０７，コントロールインターフェイス部２０４，ＣＰＵバス９０１を経由して制御部１００に伝達され、図１２，図１３を参照して説明した、穿刺針３０の先端位置を直接的に検出する方法に代わる方法として、図７（Ｂ），（Ｃ）に示す第１の領域３１の指定や拡大画像を得るときのＲＯＩ指定用として用いられる。
【００９８】
図１５は、超音波振動子から被検体内に向けて送信される超音波ビームの周波数分布を示す図である。図１５（Ａ），（Ｂ）とも、横軸は超音波の周波数ｆ、縦軸はその周波数のパワーＰをあらわしている。
図１５（Ａ）と図１５（Ｂ）を比べると、図１５（Ａ）の方が図１５（Ｂ）よりも中心周波数ｆ0 が高周波側に寄っている。この中心周波数ｆ0 の調整は、図４を参照して説明したように超音波振動子２１１に印加する高電圧パルスのパルス幅や繰返し周期を調整することにより行なわれる。
【００９９】
ここでは、図１２，図１３を参照して説明した、穿刺針３０の先端の位置検出手法と組み合わされて、穿刺針３０の先端が被検体内の浅い位置にあるときには、図１５（Ａ）に示すような中心周波数ｆ0 が高周波側に寄った超音波の送受信を行ない、穿刺針３０の先端が被検体内に深く刺し込まれるにつれて図５（Ｂ）に示すように中心周波数ｆ0 が低周波側に寄った超音波の送受信が行なわれる。高周波の超音波を採用すると高分解能の画像を得ることができるが、減衰がはげしく、高周波の超音波を用いた場合は被検体内の浅い領域しか観察できず、一方低周波の超音波は被検体内の深い領域まで入り込むが高周波の超音波と比べ分解能の点で劣る。そこでここでは、穿刺針の先端位置に応じた周波数の超音波を用いることにより、穿刺針先端の深さ位置に応じて極力分解能の高い画像を得ることができる。
【０１００】
穿刺針先端位置と送受信に用いる超音波の周波数は、あらかじめその関係を定めて送受信用メモリ１０３に格納しておいて、穿刺針先端位置に応じて送受信用メモリ１０３に格納されたデータを読み出して超音波振動子２１１に印加する高電圧パルスを調整してもよく、あるいは穿刺針先端位置と送受信に用いる超音波の周波数との関係を関係式の形式で持っておいて、穿刺針先端位置から、演算により、周波数を求め、その周波数の超音波が送受信されるよう高電圧パルスを調整してもよい。
【０１０１】
尚、ここでは穿刺針先端の位置を認識するために図１２，図１３を参照して説明した手法を採用する旨説明したが、図１４を参照して説明した穿刺針３０の送り込み長さを測定することによりその送り込み長さとの関係で送受信に用いる超音波の周波数を変更してもよい。
図１６は、超音波振動子から被検体内に向けて送信される超音波ビームの送信の周期を示す図である。図１６（Ａ），（Ｂ）とも横軸は時間軸ｔをあらわし、各時刻ｔ0 ，ｔ1 ，ｔ2 ，ｔ3 ，……に被検体内に向けて超音波ビームが送信されるものとする。
【０１０２】
ここでは、図１２，図１３を参照して説明した穿刺針の先端の位置検出手法と組み合わされて、穿刺針３０の先端が被検体内の浅い位置にあるときには、図１６（Ａ）に示すように短い周期で超音波ビームの送受信が行なわれ、穿刺針３０の先端が被検体内に深く刺し込まれるにつれて、図１６（Ｂ）に示すように超音波ビームの送受信の間隔が広げられる。
【０１０３】
前述したように、超音波は、信号処理の速度と比べると被検体内をゆっくりと進行する。したがって被検体内の浅い領域について観察するときは図１６（Ａ）に示すように超音波ビーム送受信の周期を短くすることができ、被検体内の深い領域について観察しようとするほど、超音波ビーム送受信の周期を長くする必要がある。
【０１０４】
超音波ビーム送受信の周期が短いと同一の時間内に多数回送受信を行なうことができ、その分走査線の間隔を密にして分解能を向上させたり、フレームレートを上げて早い動きに対する追随性を向上させることができる。
そこで穿刺針の先端位置に応じた周期で超音波ビームを送受信することにより、穿刺針先端の深さ位置に応じて、分解能とフレームレートを極力高い次元でバランスさせることができる。
【０１０５】
穿刺針先端位置と超音波ビームの送受信の周期との関係は、図１２に示す送受信用メモリ１０３に格納しておき穿刺針先端位置に応じてその周期をあらわすデータを読み出してそのデータにより送受信部２０１を制御してもよく、穿刺針先端位置と超音波ビーム送受信の周期との関係を関係式の形式で持っておいて穿刺針先端位置情報から超音波ビームまで受信の周期を計算により求め、その計算で求めたデータに基づいて送受信部２０１を制御してもよい。
【０１０６】
尚、穿刺針先端位置を認識するために、ここでは図１２，図１３を参照して説明した手法を採用する旨説明したが、図１４を参照して説明した、穿刺針３０の送り込み長さを測定する手法を採用し、その送り込み長さとの関係で超音波ビーム送受信の周期を変更してもよい。
図１７は、超音波ビームのビーム形状を示す図である。尚、ここでは、送信超音波ビームも受信超音波ビームも同様な形状を有しているものとして、それらを特に区別せずに説明する。
【０１０７】
図１７（Ａ）には、被検体１の内部の比較的浅い位置に、ビーム径が最も絞られた焦点Ｆが形成された超音波ビームが示されており、図１７（Ｂ）には被検体１内部の比較的深い位置に焦点Ｆが形成された超音波ビームが示されている。焦点Ｆの近傍では超音波ビームのビーム径が細いため、その分、分解能の高い画像を得ることができる。これら超音波ビームの形状は、図３、図４〜図６を参照して説明した手法により調整することができる。
【０１０８】
そこで、ここでは、図１２、図１３を参照して説明した、穿刺針３０の先端の位置検出手法と組み合わされて、穿刺針３０の先端が被検体内の浅い位置にあるときはその浅い位置に焦点を持つ超音波ビームが形成され、穿刺針３０の先端が被検体内に深く刺し込まれるにつれて、図１７（Ｂ）に示すように、より深い位置に焦点を持つ超音波ビームが形成される。
【０１０９】
超音波ビームの焦点位置の変更は、前述したように、図１に示す送受信用メモリ１０３に格納されている多数の走査線データのうちのどの走査線データを読み出すかにより行なわれる。
このように、穿刺針３０の先端位置に応じた位置に焦点を有する超音波ビームを形成することにより、穿刺術に好適な、高分解能の画像を得ることができる。
【０１１０】
尚、ここでは穿刺針先端の位置を認識するために、図１２，図１３を参照して説明した手法を採用する旨説明したが、図１４を参照して説明した、穿刺針３０の送り込み長さを測定する手法を採用し、その送り込み長さとの関係で超音波ビームの焦点位置を変更してもよい。
尚、ここでは、図１５，図１６，図１７を用いて、穿刺針３０の先端位置ないし送り込み長さに応じて、それぞれ、超音波の周波数、超音波送受信の周期、超音波ビームの焦点位置を変更する技術について説明したが、これらはそれぞれに独立に実現してもよく、あるいはそれらのうちの複数を組合せて同時に実現してもよい。あるいは、それらと、それらよりも前に説明した各種の手法、例えば走査線の密度の変更や拡大領域の設定等とを組み合わせて実現してもよい。
【０１１１】
図１８は、超音波振動子の二次元的な配列を示す図である。
これまでの説明は、超音波プローブ２０に備えられた超音波振動子２１１は、特には限定していないものの、円弧状に一列に配列されていることを中心にした説明であるが、超音波振動子２１１は二次元的に配列されていてもよい。図１８には、Ｘ方向とＹ方向とに二次元的に配列された超音波振動子２１１が示されている。
【０１１２】
図１９は、超音波振動子が図１８に示すように二次元的に配列された超音波プローブを用いて走査を行なったときの走査領域を示した図である。
この場合、被検体内がＸ−Ｘ方向のみでなくＹ−Ｙ方向にも走査され、図１９に示すような立体的な走査領域３を得ることができる。
図２０は、図面上では解りにくいが奥行きを表現した立体画像を表わした図である。
【０１１３】
図１９に示すように立体的な走査領域３を得ることができることに対応して、被検体内の立体的な断層像を表示することができる。
被検体内に穿刺針を刺し込んだとき、その穿刺針はあらかじめ定められた通過経路を辿るとは限らず、被検体内の組織の境界等でそれらの組織の固さの違い等により曲げられ、あらかじめ定められた通過経路から外れた経路を進む場合があり、しかもその経路の外れ方は図１９に示すＸ−Ｚ面内とは限らずＹ方向に外れる場合もある。このようなとき、二次元的な断層像を表示していたのでは、穿刺針先端がその表示された画像から外れ穿刺針先端を十分視認できない結果となるを招く場合がある。そこで、図１８に示すような、超音波振動子２１１が二次元的に配列した超音波プローブを用い、図１９に示すような立体的な走査領域３を得て、図２０に示すような立体画像を表示することにより、穿刺針先端がどの方向に曲げられても、その穿刺針先端をきちんと視認し、他の組織に傷をつけないように注意を払うことができる。
【０１１４】
尚、立体画像の生成には時間がかかるため、穿刺針先端近傍についてのみ立体画像を生成することが好ましい。画像生成領域を穿刺針先端近傍に限定する手法としては、これまでに説明した拡大画像のＲＯＩ指定の手法をそのまま採用することができる。
また、これまでに説明した各種の技術は特にその性質に反しない限り、図１９〜図２０を参照して説明した立体画像の生成の場合にもそのまま適用することができる。
【０１１５】
尚、これまでに説明した全ての実施形態は、配列された複数の超音波振動子を備えた超音波プローブを採用した例であるが、超音波診断装置に関し、複数の超音波振動子を備える代りに、前面に音響レンズを備えた１個の超音波振動子を備えその超音波振動子を機械的に一次元的、あるいは二次元的に動かしながら超音波を送受信することにより、被検体内を超音波で走査する技術も一般的に知られている。本発明においてもその技術を採用して、これまで説明した各種の技術をその性質に反しない限り実現してもよい。その性質に反する場合としては、この技術を採用した場合、例えば音響レンズはその焦点が固定されているため、穿刺針の先端の位置に応じて焦点を変更するという手法は実現が難しいことになる。
【０１１６】
【発明の効果】
以上説明したように、本発明の超音波診断装置によれば、穿刺術に好適な画像を生成することができる。
【図面の簡単な説明】
【図１】本発明の超音波診断装置の一実施形態を示すブロック図である。
【図２】図１に１つのブロックで示す送受信用メモリに格納されたデータの概念図である。
【図３】複数の超音波振動子に印加される高電圧パルスの遅延パターンを示した概念図である。
【図４】パルス幅および繰返し周期の異なる高電圧パルスが超音波振動子に印加される様子を示した模式図である。
【図５】ビームフォーマ部における、受信超音波ビームの形成の仕方を示す原理説明図である。
【図６】遅延パターンと、走査線の方向と、焦点位置との関係を示した説明図である。
【図７】超音波による被検体内部の走査の各例を示す模式図である。
【図８】図１に示す観察用テレビモニタに表示される画像の模式図である。
【図９】観察用モニタテレビに表示される画像の他の例を示す模式図である。
【図１０】図７（Ａ）の円Ａに囲まれた部分の内部構造を示す模式図である。
【図１１】図７（Ａ）の円Ａで囲まれた部分の内部構造の他の例を示す模式図である。
【図１２】超音波プローブ先端部分の模式図である。
【図１３】図１２に円Ｃで示された、穿刺針３０の先端部分の拡大断面図である。
【図１４】ガイド部材２２の、図７（Ａ）の円Ｂに囲まれた部分の内部構造を示す模式断面図である。
【図１５】超音波振動子から被検体内に向けて送信される超音波ビームの周波数分布を示す図である。
【図１６】超音波振動子から被検体内に向けて送信される超音波ビームの送信の周期を示す図である。
【図１７】超音波ビームのビーム形状を示す図である。
【図１８】超音波振動子の二次元的な配列を示す図である。
【図１９】超音波振動子が二次元的に配列された超音波プローブを用いて走査を行なったときの走査領域を示した図である。
【図２０】奥行きを表現した立体画像を表わした図である。
【図２１】被検体内に穿刺針が刺し込まれている状態における超音波プローブの模式図である。
【図２２】被検体内に穿刺針が刺し込まれている状態における超音波による画像例を示す図である。
【符号の説明】
１    被検体
２    走査線
３    走査領域
１０  本体部
１１  患部
２０  超音波プローブ
２１  本体部
２２  ガイド部材
２２ａ  案内孔
３０  穿刺針
１００  制御部
１０１  ＣＰＵ部
１０２  ビームスキャン制御部
１０３  送受信用メモリ
２００  アナログ処理部
２０１  送受信部
２０２  受信ディレイ制御部
２０３  ビームフォーマ部
２０４  コントロールインターフェイス部
２０５  アナログ信号処理部
２０６  ドプラシグナル処理部
２０７，２０８，２０９  制御ライン
２１１  超音波振動子
３００  ディジタルスキャンコンバータ部
３０１  白黒用スキャンコンバータ
３０２  カラー用スキャンコンバータ
３０３  スクロールスキャンコンバータ
４００  ドプラ処理部
４０１  パルス／連続波ドプラ解析部
４０２  カラードプラ解析部
５００  表示制御部
６００  生体信号アンプ部
７０１  操作パネル
７０２  タッチパネル
７０３  ＥＬ表示部
７０４  フロッピィディスク装置
７０５  プリンタ
７０６  ＶＴＲ
７０７  観察用テレビモニタ
７０８  スピーカ
７０９  ＥＣＧ電極ユニット
７１０  心音マイク
７１１  脈波用トランスデューサ
８００  電源部
９０１  ＣＰＵバス
９０２  エコーバス
９０３  ビデオバス
７０１１，７０１２，７０１３，７０１５，７０１６，…  操作子
【図１】
0003723663.tif 000002
【図２】
0003723663.tif 000003
【図３】
0003723663.tif 000004
【図４】
0003723663.tif 000005
【図５】
0003723663.tif 000006
【図６】
0003723663.tif 000007
【図７】
0003723663.tif 000008
【図８】
0003723663.tif 000009
【図９】
0003723663.tif 000010
【図１０】
0003723663.tif 000011
【図１１】
0003723663.tif 000012
【図１２】
0003723663.tif 000013
【図１３】
0003723663.tif 000014
【図１４】
0003723663.tif 000015
【図１５】
0003723663.tif 000016
【図１６】
0003723663.tif 000017
【図１７】
0003723663.tif 000018
【図１８】
0003723663.tif 000019
【図１９】
0003723663.tif 000020
【図２０】
0003723663.tif 000021
【図２１】
0003723663.tif 000022
【図２２】
0003723663.tif 000023